【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
複数の送信アンテナと、
周波数方向に隣接する無線リソースに割り当てられた下りリファレンス信号が送信レイヤ間で直交化し、かつ時間方向に隣接する無線リソースに割り当てられた下りリファレンス信号が送信レイヤ間で直交化した直交リファレンス信号を生成するリファレンス信号生成部と、
前記直交下りリファレンス信号と送信データとを多重する多重部と、
前記多重部で前記直交下りリファレンス信号と送信データとを多重して得られた送信信号を前記複数の送信アンテナから複数送信レイヤで送信する送信部と、
を具備したことを特徴とする無線基地局装置。
【請求項２】
周波数方向及び時間方向の２次元方向でそれぞれ隣接する個々の無線リソースに、互いに異なる送信レイヤの下りリファレンス信号を符号多重したことを特徴とする請求項１記載の無線基地局装置。
【請求項３】
周波数方向及び時間方向の２次元方向でそれぞれ隣接する個々の無線リソースに、異なるユーザ端末の下りリファレンス信号を複数の送信レイヤに亘り符号多重したことを特徴とする請求項１記載の無線基地局装置。
【請求項４】
前記リファレンス信号生成部は、２次元直交符号が、一回に多重される送信レイヤ数及び又はユーザ数に対応した数の直交コードからなる第１の直交符号Ｗ０と、前記第１の直交符号と対応する数の直交コードからなり各コードが前記第１の直交符号の対応するコードとそれぞれ直交した第２の直交符号Ｗ１とで構成され、前記第１の直交符号Ｗ０に基づいて生成された直交下りリファレンス信号と前記第２の直交符号Ｗ１に基づいて生成された直交下りリファレンス信号が時間方向及び周波数方向に交互に繰り返すことを特徴とする請求項１記載の無線基地局装置。
【請求項５】
前記リファレンス信号生成部は、時間領域で直交符号を乗算する方向を周波数領域で交互に入れ替えて２次元直交符号を生成することを特徴とする請求項１記載の無線基地局装置。
【請求項６】
前記リファレンス信号生成部は、直交コードを周波数領域で巡回シフトさせながら２次元直交符号を生成することを特徴とする請求項１記載の無線基地局装置。
【請求項７】
前記リファレンス信号生成部で生成された直交リファレンス信号を、セル固有のスクランブル符号を用いてスクランブルするスクランブル部を備えたことを特徴とする請求項１記載の無線基地局装置。
【請求項８】
前記リファレンス信号生成部で生成された直交リファレンス信号を、ユーザ固有のスクランブル符号を用いてスクランブルするスクランブル部を備えたことを特徴とする請求項１記載の無線基地局装置。
【請求項９】
前記スクランブル部は、直交符号の区間では、直交性を維持するようにスクランブルすることを特徴とする請求項５記載の無線基地局装置。
【請求項１０】
前記スクランブル部は、周波数領域及び時間領域の２次元の直交性を維持することを特徴とする請求項５記載の無線基地局装置。
【請求項１１】
前記スクランブル部は、時間領域の直交性のみを維持するスクランブルであることを特徴とする請求項５記載の無線基地局装置。
【請求項１２】
前記スクランブル部は、周波数領域の直交性のみを維持するスクランブルであることを特徴とする請求項５記載の無線基地局装置。
【請求項１３】
複数の送信アンテナと、
周波数方向に隣接する無線リソースに割り当てられた下りリファレンス信号が送信レイヤ間で直交化し、かつ時間方向に隣接する無線リソースに割り当てられた下りリファレンス信号が送信レイヤ間で直交化した直交リファレンス信号を生成するリファレンス信号生成部と、
前記直交下りリファレンス信号と送信データとを多重する多重部と、
前記多重部で前記直交下りリファレンス信号と送信データとを多重して得られた送信信号を前記複数の送信アンテナから複数送信レイヤで送信する送信部と、
を具備し、
前記リファレンス信号生成部は、同一送信レイヤにおいて、同一周波数領域の下りリファレンス信号のリソースエレメントグループに、２次元直交符号のコードをマッピングし、前記コードのマッピング方向が周波数方向における隣接するリソースエレメントグループ間で反対であることを特徴とする無線基地局装置。
【請求項１４】
複数の送信アンテナと、
周波数方向に隣接する無線リソースに割り当てられた下りリファレンス信号が送信レイヤ間で直交化し、かつ時間方向に隣接する無線リソースに割り当てられた下りリファレンス信号が送信レイヤ間で直交化した直交リファレンス信号を生成するリファレンス信号生成部と、
前記直交下りリファレンス信号と送信データとを多重する多重部と、
前記多重部で前記直交下りリファレンス信号と送信データとを多重して得られた送信信号を前記複数の送信アンテナから複数送信レイヤで送信する送信部と、
を具備し、
前記リファレンス信号生成部は、同一送信レイヤにおいて、同一周波数領域の下りリファレンス信号のリソースエレメントグループに、２次元直交符号のコードをマッピングし、前記コードのマッピング方向が周波数方向および時間方向における隣接するリソースエレメントグループ間で反対であることを特徴とする無線基地局装置。
【請求項１５】
前記２次元直交符号を第１コード群及び第２コード群に分割し、第１コード群、第２コード群の順序で前記リソースエレメントグループにマッピングすることを特徴とする請求項１３記載の無線基地局装置。
【請求項１６】
複数のリソースブロック毎に、前記リソースエレメントグループにマッピングする前記２次元直交符号の前記第１コード群および前記第２コード群の順序を切り替えることを特徴とする請求項１５記載の無線基地局装置。
【請求項１７】
１リソースブロック内で、前記リソースエレメントグループにマッピングする前記２次元直交符号の前記第１コード群および前記第２コード群の順序を切り替えることを特徴とする請求項１５記載の無線基地局装置。
【請求項１８】
複数の送信アンテナと、
周波数方向に隣接する無線リソースに割り当てられた下りリファレンス信号が送信レイヤ間で直交化し、かつ時間方向に隣接する無線リソースに割り当てられた下りリファレンス信号が送信レイヤ間で直交化した直交リファレンス信号を生成するリファレンス信号生成部と、
前記直交下りリファレンス信号と送信データとを多重する多重部と、
前記多重部で前記直交下りリファレンス信号と送信データとを多重して得られた送信信号を前記複数の送信アンテナから複数送信レイヤで送信する送信部と、
を具備し、
前記リファレンス信号生成部は、同一送信レイヤにおいて、同一周波数領域の下りリファレンス信号のリソースエレメントグループに、２次元直交符号のコードをマッピングし、前記コードのマッピング方向が周波数方向における隣接する複数のリソースエレメントグループ毎で反対であり、
前記２次元直交符号を第１コード群および第２コード群に分割し、第１コード群、第２コード群の順序で前記リソースエレメントグループにマッピングし、１リソースブロック内で、前記リソースエレメントグループにマッピングする前記２次元直交符号の前記第１コード群および前記第２コード群の順序を切り替えることを特徴とする無線基地局装置。
【請求項１９】
複数の送信アンテナと、
周波数方向に隣接する無線リソースに割り当てられた下りリファレンス信号が送信レイヤ間で直交化し、かつ時間方向に隣接する無線リソースに割り当てられた下りリファレンス信号が送信レイヤ間で直交化した直交リファレンス信号を生成するリファレンス信号生成部と、
前記直交下りリファレンス信号と送信データとを多重する多重部と、
前記多重部で前記直交下りリファレンス信号と送信データとを多重して得られた送信信号を前記複数の送信アンテナから複数送信レイヤで送信する送信部と、
を具備し、
前記リファレンス信号生成部は、同一送信レイヤにおいて、同一周波数領域の下りリファレンス信号のリソースエレメントグループに、２次元直交符号のコードをマッピングし、前記コードは、周波数方向に配置された複数のリソースエレメントグループ間で巡回シフトしながらマッピングされることを特徴とする無線基地局装置。
【請求項２０】
複数の受信アンテナと、
前記複数の受信アンテナで同時受信された複数送信レイヤの受信信号から、周波数方向に隣接する無線リソースに割り当てられた下りリファレンス信号が送信レイヤ間で直交化し、かつ時間方向に隣接する無線リソースに割り当てられた下りリファレンス信号が送信レイヤ間で直交化した直交リファレンス信号を分離する分離部と、
前記分離部で分離された各送信レイヤの直交リファレンス信号に基づいて各送信レイヤのチャネル推定するチャネル推定部と、
前記チャネル推定部による各レイヤのチャネル推定結果に基づいて各レイヤの送信データを復調する復調部と、
を具備する移動局装置。
【請求項２１】
周波数方向に隣接する無線リソースに割り当てられた下りリファレンス信号が送信レイヤ間で直交化し、かつ時間方向に隣接する無線リソースに割り当てられた下りリファレンス信号が送信レイヤ間で直交化した直交リファレンス信号を生成するステップと、
前記直交下りリファレンス信号と送信データとを多重するステップと、
前記直交下りリファレンス信号と送信データとを多重して得られた送信信号を複数送信レイヤで送信するステップと、
を具備したことを特徴とする無線通信方法。
【手続補正２】
【補正対象書類名】明細書
【補正対象項目名】００１１
【補正方法】変更
【補正の内容】
【００１１】
本発明の第１の側面では、複数の送信アンテナと、周波数方向に隣接する無線リソースに割り当てられた下りリファレンス信号が送信レイヤ間で直交化し、かつ時間方向に隣接する無線リソースに割り当てられた下りリファレンス信号が送信レイヤ間で直交化した直交リファレンス信号を生成するリファレンス信号生成部と、前記直交下りリファレンス信号と送信データとを多重する多重部と、前記多重部で前記直交下りリファレンス信号と送信データとを多重して得られた送信信号を前記複数の送信アンテナから複数送信レイヤで送信する送信部と、を具備したことを特徴とする。